(57)【要約】【課題】  ゴルフ・プレイのレベル・アップを可能とするゴルフ・プレイの画像製作方法を実現する。【解決手段】  原則としてゴルフ・プレイヤー４人により構成される１組について、プレイのスタート前の様子および１番ホールから４番ホールまでのプレイを撮像するのを基本とする。プレイのスタート前の撮像は、ゴルフ場の入口またはゴルフ場内のクラブ・ハウスをバックにして行う。ついで、スタート・ホールである１番ホールでのプレイヤー全員の集合場面を撮像する。その後、ティー・グラウンドにおけるティー・ショットからグリーンにおけるカップ・インのパッティングまでのプレイを撮像する。撮像は、各プレイヤーのそれぞれのプレイについて行う。プレイヤーの希望がある場合は、５番ホール以降のプレイについても撮像する。【選択図】        なし【特許請求の範囲】
【請求項１】
少なくとも１人のゴルフ・プレイヤーを撮像対象とし、
ゴルフ場の入口およびゴルフ場内のクラブ・ハウスのうちの一方をバックにして、前記少なくとも１人のゴルフ・プレイヤーを撮像し、
スタート・ホールにおける前記少なくとも１人のゴルフ・プレイヤーの集合場面を撮像し、
前記少なくとも１人のゴルフ・プレイヤーについて、少なくとも１番ホールから４番ホールにわたって、ティー・グラウンドにおけるティー・ショットからグリーンにおけるカップ・インのパッティングまでのプレイを撮像し、
撮像した画像について、前記少なくとも１人のゴルフ・プレイヤー各人の画像のみおよび前記少なくとも１人のゴルフ・プレイヤー全員の画像を総合した画像のうちの一方を編集する
ゴルフ・プレイの画像製作方法。
【請求項２】
少なくとも１人のゴルフ・プレイヤーを撮像対象とし、
ゴルフ場の入口およびゴルフ場内のクラブ・ハウスのうちの一方をバックにして、前記少なくとも１人のゴルフ・プレイヤーを撮像し、
スタート・ホールにおける前記少なくとも１人のゴルフ・プレイヤーの集合場面を撮像し、
前記少なくとも１人のゴルフ・プレイヤーについて、少なくとも１番ホールから４番ホールにわたって、ティー・グラウンドにおけるティー・ショットからグリーンにおけるカップ・インのパッティングまでのプレイを撮像し、
撮像した画像について、前記少なくとも１人のゴルフ・プレイヤー各人の画像のみおよび前記少なくとも１人のゴルフ・プレイヤー全員の画像を総合した画像のうちの一方を編集するとともに、ゴルフに関する専門的知識を有する編集スタッフおよびトーナメント・プロのゴルファーのうちの一方による、前記少なくとも１人のゴルフ・プレイヤーのプレイについての解説を、編集された画像に重ねて録音する
ゴルフ・プレイの画像製作方法。
【発明の詳細な説明】
【技術分野】
【０００１】
本発明はゴルフ・プレイの画像製作方法に関する。具体的には、ゴルフ・プレイの記念として、あるいは自己のプレイを解析してレベル・アップを図ることなどを目的として、ゴルフ・コースにおけるゴルフ・プレイヤーのプレイを記録するとともに、これにプレイについての解説音声を付加した動画像を、ゴルフ・プレイヤーに提供するためのゴルフ・プレイの画像製作方法を実現せんとするものである。
【背景技術】
【０００２】
各種のスポーツの中でも、ゴルフは、年齢を問わずプレイできることもあって、幅広い年齢層にわたって親しまれている。とくに、近時は、ゴルフのプレー料金が著しく低廉化して、その大衆化が進み、一層親しみ易いスポーツとなってきている。
【０００３】
このようなゴルフをゴルフ・コースにおいてプレイする場合、例えば、プレーのスタート前にプレイヤーの集合写真を撮ったり、プレイヤーのティー・ショットの連続写真を撮り、これをプレイヤーに販売することが、従来よりゴルフ場において行われている。これらの写真は、ゴルフ・コースにおけるゴルフ・プレイの記念として、また、クラブ・スイングを自己解析することにより、プレイのレベルを向上してスコアをアップさせるための手段などとして利用されている。
【非特許文献１】「ＧＯＬＦ ＤＩＧＥＳＴ 2004 2」ゴルフダイジェスト社  2004年
【発明の開示】
【発明が解決しようとする課題】
【０００４】
しかしながら、従来より提供されているこの種の写真、とくにクラブ・スイングの自己解析用としての連続写真は、スイング全体を間断なく撮像してはおらず、間欠的に撮像している。そのため、自己のスイング全体を的確に把握することは、必ずしも容易ではない。
【０００５】
しかも、スイングの解析は、あくまでも自身で行わねばならず、第三者それも専門的知識を有する者の解析・助言が得られるものではない。したがって、ゴルフ・プレイヤーにとっては、スイングの連続写真では、自己のスイングの解析用としては不充分であり、その目的が果たされていないというのが実情である。以上のような解決すべき課題が、従来よりゴルフ場で提供されている、プレイを撮像する写真にはあった。
【課題を解決するための手段】
【０００６】
上記課題に照らし、本発明はなされたものである。そのために、本発明では、つぎのような手段を用いるようにした。すなわち、少なくとも１人のゴルフ・プレイヤーを撮像対象として、ゴルフ場の入口またはゴルフ場内のクラブ・ハウスをバックにして、ゴルフ・プレイヤーを撮像する。ついで、スタート・ホールにおけるゴルフ・プレイヤーの集合場面を撮像する。その後、ゴルフ・プレイヤーについて、少なくとも１番ホールから４番ホールにわたって、ティー・グラウンドにおけるティー・ショットからグリーンにおけるカップ・インのパッティングまでのプレイを撮像する。撮像した画像について、ゴルフ・プレイヤー各人の画像のみまたはゴルフ・プレイヤー全員の画像を総合して編集する。ゴルフに関する専門的知識を有する編集スタッフまたはトーナメント・プロのゴルファーによる、ゴルフ・プレイヤーのプレイについての解説を、編集された画像に重ねて録音する。
【発明の効果】
【０００７】
本発明によるならば、ゴルフ・コースにおけるプレイを記念するだけでなく、自己のクラブ・スイング全体について、従来の連続写真とは異なり間断なく視認することができるとともに、ゴルフの専門的知識を有する者の解説を得ることができるので、ゴルフ・プレイヤーにとっては、プレイのレベル・アップを実現することが可能となる。
【発明を実施するための最良の形態】
【０００８】
本発明を実施するための最良の形態について説明する。本発明では、ゴルフ・プレイヤーの動画像を撮像する。その場合、撮影を希望するゴルフ・プレイヤーは、撮影の予約をする。予約は、ゴルフ場のフロントで画像提供者に対して直接行うか、あるいは、ゴルフ関連雑誌やインターネットを介して行う。
【０００９】
画像製作要員は、基本的には撮像スタッフ２名、編集スタッフ１名の３名１組とする。これらのスタッフには、例えば、大学のゴルフ部の部員などの、ゴルフに関する専門的知識を有する者を採用する。なお、撮像スタッフは、ゴルフ・コースで撮像する際は、プレイヤーと同じくゴルフ・シューズを使用するとともに、叩打されたゴルフ・ボールが当たった場合の危険に対処するためにヘルメットを着用する。また、不測の事故に備えて保険に加入する。
【００１０】
撮像対象者は、原則としてゴルフ・プレイヤー４人により構成される１組とする。また、この１組について、プレイのスタート前の様子、および１番ホールから４番ホールまでのプレイを撮像するのを原則とする。ただし、プレイヤーの事前のまたはプレイ時における希望がある場合は、５番ホール以降のプレイについても撮像する。
【００１１】
プレイのスタート前の撮像は、ゴルフ場の入口またはゴルフ場内のクラブ・ハウスをバックにして行う。ついで、スタート・ホールである１番ホールでのプレイヤー全員の集合場面を撮像する。これらは、提供する画像に、ゴルフ・プレイの記念画像としての要素を含めるためである。その後は、ティー・グラウンドにおけるティー・ショットからグリーンにおけるカップ・インのパッティングまでのプレイを撮像する。撮像は、各プレイヤーのそれぞれのプレイについて行う。
【００１２】
４番ホールまたは５番ホール以降の所望のホールでのプレイが終了したならば、プレイヤーがクラブ・ハウス内で入浴したり、食事をしている間に、編集スタッフは、機材を積載した車両の中で、撮像した画像の編集を行う。
【００１３】
画像の編集は、プレイヤー各人の画像を個別に編集するのを原則とする。ただし、プレイヤー側から要望があれば、プレイヤー全員の画像を総合して編集する。編集においては、プレイヤーがプレイする場面のみを編集し、移動中の場面はカットして、最終的に再生時間が４０分程度の画像とする。編集した画像は、磁気テープまたはＤＶＤ（ディジタル・ビデオ・ディスク）に記録する。
【００１４】
さらに、編集に当たっては、プレイヤーのプレイについての編集スタッフによる解説音声を重ねて録音する。また、事前にまたはプレイ終了後に、プレイヤーより要望があれば、編集スタッフによる解説音声は録音せずに、別途トーナメント・プロのゴルファーに対して解説を依頼する。
【００１５】
トーナメント・プロのゴルファーによる解説の要望がない場合は、編集され解説音声が録音された画像を、当日、申込者に料金と引き換えに引き渡す。トーナメント・プロのゴルファーによる解説の要望がある場合は、後日、その解説音声が録音された画像を申込者に送付する。
【００１６】
図１および図２は、以上説明したゴルフ・プレイの画像の撮影・編集の手順を示すフローチャートである
【００１７】
図１において、まず、プレイをスタートする前に、ゴルフ場の入口またゴルフ場内のクラブ・ハウスをバックにして、１組を構成する４人のプレイヤーを撮像する（ステップＳ１）。ついで、スタート・ホールでのプレイヤー全員の集合場面を撮像する（ステップＳ２）。
【００１８】
スタート・ホールでの集合場面の撮像が完了したならば、１番ホールから４番ホールにわたって、ティー・グラウンドにおけるティー・ショットからグリーンにおけるカップ・インのパッティングに至るまでの、各人のプレイをそれぞれ撮像する（ステップＳ３）。
【００１９】
そこで、４番ホールでのプレイが完了したならば、５番ホール以降のプレイについても撮像するか否かが問われる（ステップＳ４）。５番ホール以降のプレイについては撮像しない場合は（ステップＳ４ＮＯ）、撮影を終了し、画像の編集および解説音声の録音を行って（ステップＳ５）、作業を終了する。
【００２０】
ステップＳ４において、５番ホール以降のプレイについても撮像する場合は（ステップＳ４ＹＥＳ）、５番ホールにおける各人のプレイをそれぞれ撮像する（ステップＳ６）。５番ホールでのプレイガ完了したならば、撮影を終了するか否かが問われる（ステップＳ７）。
【００２１】
撮影を終了しない場合は（ステップＳ７ＮＯ）、ステップＳ６の作業を繰り返す。撮影を終了する場合は（ステップＳ７ＹＥＳ）、撮影を終了し、画像の編集および解説音声の録音を行って（ステップＳ５）、作業を終了する。
【００２２】
図２は、画像の編集および解説音声の録音を行うステップＳ５（図１）の作業の流れの詳細を示すものである。
【００２３】
図２において、画像の編集に当たっては、プレイヤー各人の画像のみを個別に編集するか否かが問われる（ステップＳ１１）。プレイヤー各人の画像のみを個別に編集する場合は（ステップＳ１１ＹＥＳ）、各人の画像のみを個別に編集する（ステップＳ１２）。各人の画像のみを個別に編集しない場合は（ステップＳ１１ＮＯ）、プレイヤー全員の画像を総合して編集する（ステップＳ１３）。
【００２４】
ついで、プレイヤー各人のプレイについて、トーナメント・プロのゴルファーによる解説音声を録音するか否かが問われる（ステップＳ１４）。トーナメント・プロによる解説音声を録音しない場合は（ステップＳ１４ＮＯ）、編集スタッフによる解説音声を録音して（ステップＳ１５）、作業を終了する。トーナメント・プロによる解説音声を録音する場合は（ステップＳ１４ＹＥＳ）、トーナメント・プロによる解説音声を録音して（ステップＳ１６）、作業を終了する。
【００２５】
以上においては、４人のプレイヤーにより１組が構成される場合について説明した。しかし、本発明は、これに限定されるものではない。１組が２人あるいは３人により構成される場合、さらにはプレイヤーが１人の場合であっても、本発明は適用され得るものである。
【００２６】
また、編集スタッフあるいはトーナメント・プロのゴルファーによる、撮像されたプレイについての解説音声を録音する場合について説明したが、解説を必要としないプレイヤーに対しては、解説音声を録音しない画像を提供するようにしてもよい。
【００２７】
さらに、編集した画像を磁気テープやＤＶＤに記録したものを、撮像対象者に提供する場合について説明した。しかし、編集した画像は、電気通信回線を介して閲覧可能な動画像スタイルで保存し、この動画像を専門に閲覧することができるホームページにアクセスすることにより、被撮像者が自己のゴルフ・プレイを視認できるようにしてもよい。その場合は、被撮像者の希望に基づいて、自己のプレイを記録した動画像を登録できるようにする。
【００２８】
これにより、電気通信回線を介してホームページを閲覧することができる環境さえあれば、被撮像者は、いつでも自己のプレイを視認することが可能となる。すなわち、ゴルフ・コースにおける実践のゴルフ・プレイのもとで、コーチや上級者から指導を受けるのは困難であっても、電気通信回線を介して提供される動画像を視認することにより、実践のゴルフ・プレイでのプレイを検証することができ、上達の早道を作り出す条件を整備することが可能となる。
【図面の簡単な説明】
【００２９】
【図１】本発明によるゴルフ・プレイの撮像方法の手順を示すフローチャートである。
【図２】図１中の１ステップの詳細を示すフローチャートである。
【図１】
2005198806.tif 000002
【図２】
2005198806.tif 000003